(57)【特許請求の範囲】
【請求項１】
遊技を制御する制御基板と、前記制御基板を収納する収納ボックスを備えた遊技機において、
前記収納ボックスは、透明の基体部材及び蓋体部材から構成され、前記基体部材及び前記蓋体部材を所定の面を向けて組み付け、前記基体部材及び前記蓋体部材のいずれか一方を他方に対して第１方向にスライド移動して閉鎖するとともに、前記第１方向とは異なる第２方向にスライド移動して開放し、
前記基体部材及び前記蓋体部材のいずれか一方には、突起状の当接部が設けられるとともに、他方には、前記基体部材及び前記蓋体部材のいずれか一方が他方に前記第１方向及び前記第２方向へスライド移動することよって、前記当接部が当接する被当接部を有する痕跡形成部が設けられ、
前記基体部材及び前記蓋体部材のいずれか一方が他方に前記第１方向へスライド移動することによって、前記当接部は前記被当接部と接触しながら前記被当接部上を通過し、
前記基体部材及び前記蓋体部材のいずれか一方が他方に前記第２方向へスライド移動し、前記当接部が前記被当接部を第２方向へ押すことによって、前記被当接部が折れ曲がる又は切り離され、 
前記痕跡形成部は、
前記基体部材及び蓋体部材のいずれか一方を他方に前記第２方向へスライド移動することによって、前記当接部が前記被当接部と当接することを防止する当接防止部と、前記当接防止部を前記痕跡形成部より分離させるための分離部と、を備え、
前記当接防止部が前記痕跡形成部より分離された状態で、前記基体部材及び前記蓋体部材のいずれか一方を他方に前記第２方向へスライド移動し、前記当接部が前記被当接部を前記第２方向へ押すことによって、前記被当接部が折れ曲がる又は切り離され、
前記当接防止部が前記痕跡形成部より分離されていない状態で、前記基体部材及び前記蓋体部材のいずれか一方を他方に前記第２方向へスライド移動すると、前記当接防止部は、前記当接部が前記被当接防止部を前記第２方向へ押すことを防止することを特徴とす遊技機。
【発明の詳細な説明】
【技術分野】
【０００１】
本発明は、遊技球や遊技メダル等の遊技媒体を用いた遊技を制御する制御基板と、該制御基板を収納するための収納ボックスと、を備えたパチンコ機やスロットマシンなどの遊技機に関する。
【背景技術】
【０００２】
遊技機には、遊技機の動作を制御するＩＣ、ＲＯＭ等の電子部品を実装した制御基板が備えられている。近年、制御基板は、不正者によるＲＯＭ等の交換や改造等、悪質な不正行為の標的となっている。このような制御基板に対する不正行為を排除する手段として、制御基板を所定の収納ボックス内に収納し、この収納ボックスを開封不能に封止するという対策が講じられてきた。そして、この封止手段として、収納ボックスの開閉部分を固定するネジ止め部に、締め付ける方向にのみ回転し、緩める方向に回転させようとすると締め付け工具が空回りするワンウェイビスを使用することがある。
【０００３】
このような、封止手段によれば、ワンウェイビスを用いることで締め付け工具によるワンウェイビスの螺合解除が困難になるため、上記不正行為を行う不正行為者はネジ止め部やワンウェイビス自体を切断、破壊等しなければ収納ボックスを開封できなくなり、不正行為の実行を困難にするとともに、不正行為が行われた場合にも、ネジ止め部やワンウェイビスの破損、破壊箇所を確認することでその事実を発見することが可能となった。
【特許文献１】特開平９−２７６４８１号公報
【特許文献２】特開平１０−２９５９１１号公報
【特許文献３】特開２００１−１１１２４７号公報
【特許文献４】特開２００１−１６１８９１号公報
【発明の開示】
【発明が解決しようとする課題】
【０００４】
しかしながら、このような封止手段では、不正開封時に破損したネジ止め部やワンウェイビスを巧妙に復元し、収納ボックスの不正開封後に復元したネジ止め部やワンウェイビスを用いて再度収納ボックスを封印することができるため、不正行為を隠蔽することも可能であった。このため、不正行為の事実を確実に残すことができていなかった。
【０００５】
そこで、本発明は上記した事情に鑑みなされたもので、その目的とするところは、開封痕跡を確実に残すことができる収納ボックスを提供することにある。
【課題を解決するための手段】
【０００６】
本発明の遊技機は、
遊技を制御する制御基板と、前記制御基板を収納する収納ボックスを備えた遊技機において、
前記収納ボックスは、透明の基体部材及び蓋体部材から構成され、前記基体部材及び前記蓋体部材を所定の面を向けて組み付け、前記基体部材及び前記蓋体部材のいずれか一方を他方に対して第１方向にスライド移動して閉鎖するとともに、前記第１方向とは異なる第２方向にスライド移動して開放し、
前記基体部材及び前記蓋体部材のいずれか一方には、突起状の当接部が設けられるとともに、他方には、前記基体部材及び前記蓋体部材のいずれか一方が他方に前記第１方向及び前記第２方向へスライド移動することよって、前記当接部が当接する被当接部を有する痕跡形成部が設けられ、
前記基体部材及び前記蓋体部材のいずれか一方が他方に前記第１方向へスライド移動することによって、前記当接部は前記被当接部と接触しながら前記被当接部上を通過し、
前記基体部材及び前記蓋体部材のいずれか一方が他方に前記第２方向へスライド移動し、前記当接部が前記被当接部を第２方向へ押すことによって、前記被当接部が折れ曲がる又は切り離され、 
前記痕跡形成部は、
前記基体部材及び蓋体部材のいずれか一方を他方に前記第２方向へスライド移動することによって、前記当接部が前記被当接部と当接することを防止する当接防止部と、前記当接防止部を前記痕跡形成部より分離させるための分離部と、を備え、
前記当接防止部が前記痕跡形成部より分離された状態で、前記基体部材及び前記蓋体部材のいずれか一方を他方に前記第２方向へスライド移動し、前記当接部が前記被当接部を前記第２方向へ押すことによって、前記被当接部が折れ曲がる又は切り離され、
前記当接防止部が前記痕跡形成部より分離されていない状態で、前記基体部材及び前記蓋体部材のいずれか一方を他方に前記第２方向へスライド移動すると、前記当接防止部は、前記当接部が前記被当接防止部を前記第２方向へ押すことを防止することを特徴とする。
【０００７】
本発明では、基体部材及び蓋体部材の何れか一方を他方に第１方向へスライド移動させ閉鎖するとともに、第１方向とは異なる第２方向へスライド移動させ開放する収納ボックスにおいて、一方には突起状の当接部が設けられ、他方には当接部を有する一方のスライド移動によって、当接部が当接する被当接部を有する痕跡形成部が設けられている。そのため、当接部を有する一方が第１方向へスライド移動すると当接部も第１方向から被当接部と当接し、当接部を有する一方が第２方向へスライド移動すると当接部も第２方向から被当接部と当接する。また、被当接部は、当接部を有する一方が第１方向へスライド移動することにより、当接部が第１方向へ当接する場合、当接部を接触させながら通過させる。また、当接部を有する一方が第２方向へスライド移動することにより、当接部が第２方向へ当接する場合、当接部が被当接部を第２方向へ押しながら、痕跡形成部から折れ曲がる又は切り離される。つまり、請求項１に記載の遊技機によれば、当接部が設けられたいずれか一方のスライド移動に伴って、当接部もスライド移動し、他方には当接部がスライド移動する経路上に被当接部が設けられている。そして、当接部を有する一方が第２方向へ移動すると、当接部が被当接部を第２方向へ押動して、被当接部は痕跡形成部から折れ曲げられる又は切り離されるため、開封痕跡が痕跡形成部に残ることとなる。
【０００８】
このように、本発明の遊技機によると、収納ボックスが不正開封されたときの開封痕跡を痕跡形成部に残す構成となっている。また、基体部材及び蓋体部材が、透明な素材から構成されているため、収納ボックスの外部から開封痕跡が残った痕跡形成部を目視しやすくすることができる。
【０００９】
また、本発明においては、収納ボックスを構成する部材を透明な素材（例えば、透明な合成樹脂）によって構成することが望ましい。収納ボックスの主要部が透明であると、収納ボックス内の制御基板に不正な改造が施された場合に、収納ボックスの外部から、「不正な改良」を発見することもできるからである。または、基体部材又は蓋体部材において、内部に配置された痕跡形成部を視認可能とする箇所を無色透明としてもよい。その結果、内部に収納された痕跡形成部の様子を基体部材及び蓋体部材の外部から確認することが容易であるからである。
【００１１】
本発明では、基体部材及び蓋体部材のいずれか一方がスライド移動することによって、当接部が被当接部を第２方向へ押すことを防止する当接防止部と、当接防止部を痕跡形成部から分離ための分離部と、を痕跡形成部に設けている。このため、痕跡形成部に当接防止部が設けられた状態で収納ボックスを開封すると、基体部材及び蓋体部材のいずれか一方が他方に第２方向へスライド移動したことによって、当接部が被当接を第２方向へ押すことを当接防止部が防止する。つまり、請求項２の発明の遊技機では、痕跡形成部から当接防止部が分離されない限り、収納ボックスの開封痕跡が痕跡形成部に残ることがない構造を備える。すなわち、収納ボックスの封印前に開封痕跡を残すか否かを適宜選択できるとともに、痕跡形成部から当接防止部を分離した場合、開封痕跡を確実に痕跡形成部に残すことができる。換言すると、収納ボックスの封印前に、痕跡形成部から当接防止部を切り離し、収納ボックスを封印すると、その後開封したときの開封痕跡を痕跡形成部に残すことができるが、収納ボックスの封印前に、痕跡形成部から当接防止部を切り離さないで収納ボックスを封印すると、その後開封したときの開封痕跡が痕跡形成部に残らない。
【発明の効果】
【００１２】
上記したように本発明によると、開封痕跡を確実に残すことができる収納ボックスを備えた遊技機を得ることができる。
【図面の簡単な説明】
【００１３】
【図１】本発明の実施例に係る遊技機を示す斜視図である。
【図２】本発明の実施例に係る遊技機を示す正面図である。
【図３】本発明の実施例に係る遊技機において本体枠等を説明するための概略的な説明図である。
【図４】本発明の実施例に係る遊技機において遊技盤を示す正面図である。
【図５】（ａ）は左下表示装置の概略的な正面図であり、（b）は右下表示装置の概略的な正面図である。
【図６】本発明の実施例に係る遊技機を示す裏面図である。
【図７】本発明の実施例に係る電子制御装置を示すブロック図である。
【図８】本発明の実施例に係る電子制御装置を示すブロック図である。
【図９】本発明の実施例に係る収納ボックスの斜視図である。
【図１０】本発明の実施例に係る蓋体部材の斜視図である。
【図１１】本発明の実施例に係る基体部材の斜視図である。
【図１２】本発明の実施例に係る痕跡形成部を拡大した斜視図である。
【図１３】基体部材の図１２で示す（ａ―ａ）の断面図である。
【図１４】本発明の実施例に係る収納ボックス分解縦断面図である。
【図１５】本発明の実施例に係る基体部材及び蓋体部材の閉鎖取付前の状態を示した図である。
【図１６】本発明の実施例に係る基体部材及び蓋体部材の閉鎖取付状態を示した図である。
【図１７】（ａ）及び（ｂ）は当接部９２が痕跡形成部２３１に開封痕跡を残す過程を、上部スライド溝８２ｊの上方向から観察した様子を示した図である。
【発明を実施するための形態】
【００１４】
以下、発明を実施するための最良の形態を示す実施例について図面に基づいて説明する。以下に示す実施例では、各請求項に係る発明を、「セブン機」と称する遊技機（パチンコ機）１に適用した各具体例について説明する。
【００１５】
（１）機械的な構造
ａ.遊技機の前面側の全体構造
先ず、この遊技機１の全体構造について、図１〜図３を参照して説明する。この遊技機１は、図１及び図２に示すように、外枠２と、この外枠２に装着された遊技機本体Ｈと、を備えている。
【００１６】
外枠２は、パチンコホールの島設備に設けられた設置部位に固定されると共に遊技機本体Ｈを支持するためのものである。この外枠２は、略矩形状の枠状体によって構成される外枠本体２１（図１及び２を参照）と、外枠本体２１の前面下部を覆う前板部２２とを備
えている。
【００１７】
遊技機本体Ｈは、外枠２の左端側上下のヒンジＨ１、Ｈ２（図１を参照）を用いて、外枠２の左端側に回動自在に組み付けてられている。この遊技機本体Ｈは、遊技機１のうちで外枠２を除く部分であって、図１に示すように、本体枠３と、前面枠（ガラス扉枠）４と、上皿部材５と、下皿部材６と、遊技盤１０（図４を参照）と、裏機構盤１０２（図６を参照）等を主要部としている。
【００１８】
本体枠３は、図３に示すように、外枠２に嵌めこまれ、外枠２に対して開閉可能に軸支されている。尚、本体枠３の右端側には、施錠装置７が装着されている。この施錠装置７は、本体枠３を外枠２に施錠したり、前面枠４や上皿部材５を本体枠３に施錠するために用いられる。
【００１９】
本体枠３は、全体がプラスチック製であり、図３に示すように、枠状体によって構成されている。この本体枠３は、上半部に窓部３Ｍを備える枠本体部３ｂと、枠本体部３ｂの裏面部から略矩形枠状に突出する突出部３ｃとを備える。そして、本体枠３は、この突出部３ｃを用いて遊技盤１０を保持するための保持部を構成している。つまり、突出部３ｃの突端面であって、窓部３Ｍの左方側の上下と、窓部３Ｍの右方側の上下には保持具３ｆが回動可能な状態で装着されている。そして、遊技盤１０の前面部を前方に向けつつ突出部３ｃに嵌合するとともに、保持具３ｆの突端部を遊技盤１０の後面部に当接させると、遊技盤１０が本体枠３により保持される。
【００２０】
本体枠３が遊技盤１０を保持したとき、「遊技盤１０の前面部１０ａに構成される遊技領域１１」を、窓部３Ｍによって本体枠３の前方から視認することができる。また、遊技盤１０の背面部には、裏機構盤１０２（図６参照）が装着され、この背面部を覆う状態とされている。
【００２１】
前面枠４は、図１に示すように、本体枠３の前面側に配置され、本体枠３の左端に開閉可能に支持されている。この前面枠４はその中央部に視認窓４１ａを備えている。この視認窓４１ａは前面枠４の前後に貫通する状態に設けられ、遊技盤１０の盤面に形成された遊技領域１１（図４参照）の外周形状に対応して略円周状に開設されている。そして、前面枠４を閉じたときにその背後に配置される遊技領域１１が、この視認窓４１ａによって前方から視認可能とされる。
【００２２】
前面枠４は、図１に示すように、枠本体４１と、この枠本体４１に装着されるガラス板４３と、ガラス板４３を枠本体４１に保持させるための保持具（図示を省略）とを備える。また、前面枠４の上端部側の左右には、各々スピーカＳＰ１、ＳＰ２（図８参照）が内蔵されている。また、本遊技機１においては、前板部２２の左右両端にも、スピーカＳＰ３、ＳＰ４（図８参照）が内蔵されている。そして、本遊技機１においては、これらのスピーカＳＰ１〜ＳＰ４を用いて、遊技状態に応じた効果音その他の音（音声）を発生させる。
【００２３】
遊技機本体Ｈの前面部のうちで前面枠４の下方の部位には、上皿部材５と下皿部材６とが設けられている。すなわち、上皿部材５は前面枠４の下方に配置され、その略容器形状とされる内部に遊技機１から排出される遊技球を受け入れるための受入口５ｂを備えている。尚、上皿部材５の裏側には、球貸表示基板４１０（図７参照）及び演出ボタン基板２２８（図８参照）が設けられ、上皿部材５の上面部には「球貸操作部５ｃ」と操作スイッチＳＷとが配置されている。
【００２４】
図１及び図２に示すように、下皿部材６は上皿部材５の下方に配置されている。この下
皿部材６の略中央には、その略容器形状とされる内部に上皿部材５から排出される遊技球を受け入れるための受入口６ａを備えている。また、下皿部材６の左端には灰皿６ｂが設けられ、下皿部材６の右端には発射ハンドル９が設けられている。また、下皿部材６の底面には球抜き孔（図示を省略）が設けられ、下皿部材６に貯留された遊技球を遊技機１から排出する際に開放状態とされる。
【００２５】
発射ハンドル９は発射装置ユニット（図示を省略）に接続されている。この発射ハンドル９には、遊技者がハンドルに触れていることを検出するタッチスイッチ９a装着されており、その近傍には、遊技球の発射を一時的に停止するための発射停止スイッチ９ｂが装着されている。また、遊技機１の左端側には、プリペイドカードユニットが設けられている（図示を省略）。
【００２６】
ｂ．遊技盤１０の構成
次に、遊技盤１０の構成について図４等を用いて説明する。この遊技盤１０は正面視で略矩形状の合板を用いて構成される遊技盤本体１０Ａと、この遊技盤本体１０Ａに装着される各種の盤部品（外側レール１２、内側レール１３、メイン役物装置２０等）が装着されている。尚、この遊技盤本体１０Ａの前面部には、セル画が印刷されたシート状物が貼
着されているが図示を省略する。
【００２７】
遊技盤本体１０Ａは、正面視で略円形とされる領域形成部１０Ｂと、領域形成部１０Ｂの周囲に位置する領域外部１０Ｃとを備える。また、遊技盤本体１０Ａの前面部には、ともに帯状の金属板を用いて構成される外側レール１２と、内側レール１３とが配設されている。そして、領域形成部１０Ｂの前面部は、この外側レール１２及び内側レール１３が形成する略円形の周壁によって略包囲されつつ、遊技領域１１を構成している。
【００２８】
この領域形成部１０Ｂ（つまり、遊技盤１０において遊技領域１１内に位置する部位）には、メイン役物装置２０と、普通図柄作動ゲート（普通図柄作動口）１６と、始動入賞装置１７と、下部装置３０と、左下表示装置５０と、右下表示装置６０と、４個の一般入賞装置４０、４１、４３、４４と、多数の障害釘（図示を省略）と、風車１９等が配設されている。
【００２９】
メイン役物装置２０は、取付部材（化粧板）２１と、中央表示装置２７とを備えている。このうち、取付部材２１は、領域形成部１０Ｂの前面部に装着される板状体によって構成され、遊技領域１１の上半部のうちで、左端側を除く部位を構成している。この取付部材（化粧板）２１には、窓部形成孔２１ｄが設けられている。そして、この窓部形成孔２１ｄは、正面視で略矩形状の表示窓２１ｅを構成している。
【００３０】
取付部材２１の頂部から右側縁部の下端に至る部位は、外側レール１２に近接し、頂部から左側縁部の上端に至る部位には、上部装飾部材２１ｎが前方に突出する状態に装着されている。また、取付部材２１の左側縁部には、左側装飾部材２１ｑが前方に突出する状態に装着され、取付部材２１の下縁部には、ステージ部材２１ｐが前方に突出する状態に装着されている。
【００３１】
左側装飾部材２１ｑは、内部に遊技球通路（図示を省略）が形成された造形物２１ｒを備えている。この遊技球通路の進入口は、左斜め上方に向かって開口し、遊技領域１１を流下する遊技球を、この進入口で受け入れ、メイン役物装置２０の内部に進入させる。
【００３２】
ステージ部材２１ｐは、その上面部によって、遊技球の転動面を構成する。この転動面は、左右の端部から中央部に向かって下る傾斜面として構成されている。但し、転動面
の中央部では、上方に向かって僅かに隆起する隆起部とされている。また、ステージ部材２１ｐには、転動面上の遊技球を、メイン役物装置２０の外部に排出するための排出通路が設けられている。尚、排出通路の入口部２１ｕは、転動面の中央部の背後において、この中央部と連続する位置で開口し、排出通路の出口部２１ｖ は、この中央部よりも下方の位置で開口している。
【００３３】
本実施例では、遊技領域１１を流下し、メイン役物装置２０の内部に進入した遊技球は、転動面の左端部に到達し、転動面上を右方向に転動し、更に、左方向に転動する。そして、遊技球の勢いを衰えたところで、この遊技球は、排出通路を通過してメイン役物装置２０外に排出されるか、或いは、転動面の前縁部から、メイン役物装置２０外に排出される。尚、出口部２１ｖの直下に、後述する始動入賞装置１７が位置している。
【００３４】
中央表示装置２７は、後述する右下表示装置６０と同様に、可変表示装置の具体例を構成する。但し、この中央表示装置２７においては、右下表示装置６０における特別図柄の変動表示および停止表示に連動する演出表示（変動表示および停止表示）を実行する。尚、本実施例では、右下表示装置６０が、本図柄（特別図柄の一具体を示す）を表示するための「可変表示装置」を構成し、中央表示装置２７が、疑似図柄（特別図柄の他の具体例を示す）を表示するための「可変表示装置」を構成する。
【００３５】
中央表示装置２７の表示画面２７ａは可変状態に用いられ、その全体、若しくは、一部を用いて種々の図柄を表示可能である。この表示画面２７aには、３つの疑似図柄表示部が出現し、これらの疑似図柄表示部において「３桁の疑似図柄」を用いた変動表示（順次、変更される疑似図柄の表示）と、停止表示（停止した疑似図柄の表示）等がなされる。
【００３６】
普通図柄作動ゲート（普通図柄作動口）１６は、遊技領域１１において、メイン役物装置２０の左側方に位置する部位に配設されている。また、この普通図柄作動ゲート１６内には普通図柄作動ゲート通過検出スイッチ１６ｓ（図７参照）が配設されている。そして、普通図柄作動ゲート通過検出スイッチ１６ｓを遊技球が通過することを前提に、「普通図柄の変動開始条件」が成立すると、左下表示装置５０（後述する）において、普通図柄の変動表示（具体的には、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７（後述する）が、所定時間（例えば、０．５秒）開放駆動される。
【００３７】
始動入賞装置１７は、ステージ部２１ｄの排出路の直下に位置する部位に配設されている。そして、第１の始動入賞部１７ａと、第２の始動入賞部１７ｂとを上下に配設した構成を備える。このうち、第１の始動入賞部１７ａは、上方に開口部、つまり、第１の始動口を開口させたポケット形状を備えている。この第１の始動口は、排出通路の出口部２１ｖの直下に位置するため、排出通路を通過した遊技球は、この第１の始動口を通じて、始動入賞装置１７に入賞する確率が高くされている。
【００３８】
第２の始動入賞部１７ｂは、第１の始動入賞部１７ａの略直下に位置すると共に、入口側部分に普通電動役物を備えている。この普通電動役物は、いわゆるチューリップ式で左右に一対の翼片部が開閉するべく形成されている。つまり、第２の始動入賞部１７ｂは、この一対の翼片部を作動させるための普通電動役物ソレノイド１７ｃ（図７参照） を備えている。そして、この一対の翼片部が左右に開くと、遊技球の入球可能性が大きくなる開放状態となり、一対の翼片部が立設され、遊技球の入球可能性が小さくなる通常状態とな
る。
【００３９】
始動入賞装置１７の内部には、第１の始動入賞部１７ａ、若しくは、第２の始動入賞部１７ｂを遊技球の通過を検出する始動入賞検出スイッチ１７ｓ（図７参照）が配設されている。つまり、第１の始動入賞部１７ａに入賞した遊技球と、第２の始動入賞部１７ｂ に入賞した遊技球は、始動入賞装置１７内の同一の通路（図示を省略）を通過し、この通路の経路途中に配設された始動入賞検出スイッチ１７ｓによって検出される構成となってい
る。
【００４０】
下部装置３０は、始動入賞装置１７の下方に配設されている。この下部装置３０は、可変入賞装置（大入賞装置）３１によって構成されている。この可変入賞装置３１は、遊技盤１０の前面部１０ａに装着された取付板部３１ｋを備える。この取付板部３１ｋは、略中央部において平面形状が略帯状の開口部を表裏を貫通する状態に備え、この開口部によって大入賞口３１ａを構成している。そして、この大入賞口３１ａの後端部は、「大入賞口入賞通路（大入賞口３１ａから入賞する遊技球を通過させるための通路であり、図示を省略する）」に連絡されている。
【００４１】
そして、可変入賞装置（大入賞装置）３１は、この大入賞口３１ａを開放・閉鎖するための開閉板３１ｂと、この開閉板３１ｂを駆動するための大入賞口ソレノイ３１ｃ（図７参照）と、大入賞口入賞通路の経路途中若しくは経路端末部に設けられた入賞球検出スイッチ３１ｓ（図７参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を、大入賞口３１ａに誘導する誘導部を構成する。
【００４２】
左下表示装置５０は、可変入賞装置（大入賞装置）３１の左側方に配置されている。この左下表示装置５０は、図５（ａ）に示すように、略円弧状に構成されると共に、遊技盤１０の前面部に取り付けられる取付板５１を備えている。そして、この取付板５１には、普通図柄保留表示部５２と、特別図柄保留表示部５３と、遊技状態表示部５５と、普通図柄表示部５６とが設けられている。
【００４３】
普通図柄保留表示部５２は、２個のＬＥＤを用いて構成され、所謂「普通図柄に関する保留数」を、４個を上限として表示するものである。つまり、「普通図柄作動ゲート（普通図柄作動口）１６を通過したが、未だ、未消化の遊技球の数（即ち、保留数）」を、４個上限数として表示すると共に、未消化の遊技球が消化される毎に、「未消化の遊技球の数（即ち、保留数）」を、順次、デクリメントして表示するものである。ここで、普通図柄に関する「未消化の遊技球（つまり、保留球）」とは、普通図柄作動ゲート（普通図柄作動口）１６を通過したが、後述する普通図柄表示部５６において、当該通過に伴う当否抽選の結果の表示（抽選結果図柄の確定表示）と、これに先行する変動表示（本実施例では、ＬＥＤを用いて点滅表示）とがなされていない遊技球を指す。
【００４４】
特別図柄保留表示部５３も、２個のＬＥＤを用いて構成され、所謂「特別図柄に関する保留数」を、４個を上限として表示するものである。つまり、「始動入賞装置１７に入賞したが、未だ、未消化の遊技球の数（即ち、保留数）」を、４個上限数として表示すると共に、未消化の遊技球が消化される毎に、「未消化の遊技球の数（即ち、保留数）」を、順次、デクリメントして表示するものである。ここで、特別図柄に関する「未消化の遊技球（つまり、保留球）」とは、始動入賞装置１７に入賞したが、後述する特別図柄表示部６１において、当該通過に伴う当否判定の結果の表示（判定結果図柄の確定表示）と、これに先行する変動表示とがなされていない遊技球を指す。
【００４５】
尚、本実施例では、「遊技球が、普通図柄作動ゲート（普通図柄作動口）１６を通過すること条件に、主制御部２００Ａによって実行される判断、つまり、普通電動役物１７ｄ（第２の始動入賞部１７ｂ）を開放状態とすべきか否かの判断を、「当否抽選」と称する。また、「遊技球が、始動入賞装置１７に入賞すること条件に、主制御部２００Ａによって実行される判断、つまり、可変入賞装置（大入賞装置）３１の開放を許容するか否かの判断（遊技機の遊技状態を、可変入賞装置３１を閉鎖状態に維持する通常遊技状態から、可変入賞装置３１の開閉を行う特別遊技状態にすべきか否かの判断）が「当否判定」の具体例を構成する。
【００４６】
普通図柄保留表示部５２及び特別図柄保留表示部５３においては、同様な態様で、保留数の表示を行う。つまり、２個ＬＥＤを消灯させることで、「保留数」が「ゼロ」であることを示す。また、１個のＬＥＤを点灯させ、１個のＬＥＤを消灯させることで、「保留数」が「１」であることを示す。更に、２個のＬＥＤを点灯させることで、「保留数」が「２」であることを示す。また、１個のＬＥＤを点滅させ、１個ＬＥＤを点灯させることで、「保留数」が「３」であることを示す。更に、２個のＬＥＤを点滅させることで、「保留数」が「４」であることを示す。
【００４７】
遊技状態表示部５５は、２個のＬＥＤ５５ａ 、５５ｂを用いて構成され、遊技機１の現在の遊技状態を表示するために用いられる。つまり、２個のＬＥＤ５５ａ、５５ｂを消灯させることで、「遊技機１の現在の遊技状態が通常遊技状態である」旨が表示される。また、一方のＬＥＤ５５ａを点灯させ、他方のＬＥＤ５５ｂを消灯させて、「遊技機１の現在の遊技状態が確変遊技状態である」旨が表示される。更に、一方のＬＥＤ５５ａを消灯させ、他方のＬＥＤ５５ｂを点灯させて、「遊技機１の現在の遊技状態が時短遊技状態である」旨が表示される。
【００４８】
右下表示装置６０は、可変入賞装置（大入賞装置）３１の右側方に配置されている。この右下表示装置６０ は、図５（ｂ）に示すように、略円弧状に構成されると共に、遊技盤１０の前面部に取り付けられる取付板６１を備えている。そして、この取付板６１には、特別図柄表示部６２と、大当り態様表示部６３と、が設けられている。
【００４９】
特別図柄表示部６２は、略長円状に配設された「７個のＬＥＤ６２ａ〜６２ｇ」を用いて構成され、「始動入賞装置１７ への遊技球の入賞（以下、「始動入賞」という。）に伴う当否判定の結果の表示」を、変動表示（本実施例では、複数のＬＥＤを用いて点灯表示） を経て実行する。つまり、この「当否判定に関する結果の表示に、先行する変動表示」の実行時期が到来すると、「７個のＬＥＤ６２ａ〜６２ｇ」を順次、点灯させる。具体的には、略長円状に配設された「７個のＬＥＤ６２ａ〜６２ｇ」において、この「略長円状を周回する方向に沿って、７個のＬＥＤ６２ａ〜６２ｇ」が点灯することを内容とする。
【００５０】
より具体的には、所定のＬＥＤ（例えば、ＬＥＤ６２ａ）が点灯状態となると、残りのＬＥＤ（例えば、ＬＥＤ６２ｂ〜６２ｇ）は消灯状態となる。このＬＥＤ（例えば、ＬＥＤ６２ａ）が消灯状態となると、略長円状を周回する方向に隣合う１つのＬＥＤ（例えば、ＬＥＤ６２ｂ）のみが点灯状態となる。そして、点灯状態となるＬＥＤを、略長円状を周回する方向に沿って順次変更することで、特別図柄表示部６２の変動表示が実行される。この変動表示（以下、「ＬＥＤ６２ｂ〜６２ｇを用いた循環表示」という。）を実行し、「特別図柄に関する当否判定に関する結果の表示」の実行時期が到来すると、特別図柄表示部６２において、特別図柄の停止表示（確定表示）が実行される。尚、特別図柄表示部６２において表示される遊技の結果（当否判定の結果）と、中央表示装置２７において表示される遊技の結果（当否判定の結果）は一致するものとされる。
【００５１】
大当り態様表示部６３は、２個のＬＥＤ６３ａ、６３ｂを用いて構成される。この大当り態様表示部６３は、主に、「特別図柄に関する当否判定に関する結果が大当りである場合、その大当りの種類」を表示するために用いられる。つまり、特別図柄表示部６２において大当り表示がなされていない場合には、２個のＬＥＤ６３ａ、６３ｂは消灯状態とさせる。そして、特別図柄表示部６２において大当り表示がなされる場合、何れかのＬＥＤ６３ａ、６３ｂを点灯させて、当該大当りの種類が表示される。
【００５２】
図５（ａ）に示すように、２個の一般入賞装置４０、４１は、左下表示装置５０を構成する取付板５１に一体化され、図５（ｂ）に示すように、残りの２個の一般入賞装置４３、４４は、右下表示装置６０を構成する取付板６１に一体化されている。そして、各一般入賞装置４０、４１、４３、４４の内部には、遊技球の入賞を検出するための入賞検出スイッチ４０ｓ、４１ｓ、４３ｓ、４４ｓ（図７参照）が配設されている。
【００５３】
図４に戻り、多数の障害釘（図示を省略）は、以上説明した各盤部品との位置バランスを考慮して、遊技領域１１にパチンコ遊技に適するべく、配設され、遊技盤１０の下方にはアウト口１８が設けられている。更に、アウト口１８の下部にはバック球防止部材（図示を省略）が設けられている。そして、遊技領域１１に到達せず戻ってきた遊技球が再び発射位置に戻ることを防止している。一方、ファール球防止部材１５は、内レール１３の先端部に取り付けられている。
【００５４】
ｃ ． 遊技機１ の裏面構造
次に、本実施例の遊技機１の裏面構造について図６を参照して説明する。つまり、遊技機１の裏面構造は、大きな裏パック１０２の上に各種装置が搭載された構造となっており、裏パック１０２は、一対のヒンジ１０３によって中枠３に開閉可能に軸支されている。
【００５５】
裏パック１０２には、遊技球が蓄えられる賞球タンク１０５と、賞球の払出を行う賞球払出装置１０９と、主制御部２００Ａを構成する主制御基板２００が収納された主制御基板ケース８０と、発射装置ユニットを制御する発射制御基板２６０が収納された発射装置制御基板ケース１３０と、賞球払出装置１０９を制御する払出制御基板２４０が収納された払出制御基板ケース１１８と、主制御基板２００と各種スイッチ類とを中継する中継端子板などが搭載されている。ここで、主制御基板ケース８０は、「収納ボックス」の具体例を構成するが、その詳細については後述する。尚、本遊技機１を構成するその他の制御基板（例えば、後述する演出制御基板２２０）を収納する基板ケースを「収納ボックス」の具体例として構成してもよい。
【００５６】
賞球タンク１０５には底部にタンクスイッチが設けられており、球切れを検出することができる。また、賞球タンク１０５と賞球払出装置１０９とは、タンクレール１０６によって接続されている。更に、図６において、タンクレール１０６の右側には球抜きレバーが設けられ、タンクレール１０６の下流側には補給球切れ検知スイッチが設けられている。
【００５７】
（２）制御回路の構成
次に、図７及び図８を用いて本実施例の遊技機１の制御回路の構成について説明する。本遊技機１の制御回路は、主制御部２００Ａと、複数の副制御部（２２０Ａ 、２４０Ａ 、２６０Ａ）とを含んで構成されている。つまり、主制御基板２００を用いて構成されると共に遊技の基本的な進行や賞球に関わる当否についての制御を司る主制御部２００Ａと、複数の副制御部（２２０Ａ、２４０Ａ 、２６０Ａ）とを備えている。
【００５８】
副制御部としては、（ａ）演出制御基板２２０を用いて構成されると共に、「図柄表示、ランプの発光、効果音、可動物の動作等を用いた遊技の各種の演出の制御を司る演出制御部２２０Ａと、（ｂ）払出制御基板２４０を用いて構成されると共に貸球や賞球を払い出す動作の制御を司る払出制御部２４０Ａと、（ｃ）発射制御基板２６０を用いて構成されると共に遊技球の発射に関する制御を司る発射制御部２６０Ａを備える。
【００５９】
これらの制御部（２００Ａ 、２２０Ａ 、２４０Ａ 、２６０Ａ）を構成する制御基板（２００、２２０、２４０、２６０）は、各種論理演算および算出演算を実行するＣＰＵや、ＣＰＵで実行される各種プログラムやデータが記憶されているＲＯＭ 、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図７及び図８の矢印の向きは、データあるいは信号を入出力する方向を表している。また、図７では「主制御基板２００以外の制御基板」について、搭載されているＣＰＵや、ＲＡＭ、ＲＯＭ等の図示を省略している。
【００６０】
主制御部２００Ａ（主制御基板２００）は、普通図柄作動ゲート通過検出スイッチ１６ｓ、始動入賞検出スイッチ１７ｓ、入賞球検出スイッチ４０ｓ、４１ｓ、４３ｓ、４４ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａには、発射装置ユニットから発射された遊技球を検出するカウントスイッチ８ｓも接続されている。また、主制御部２００Ａは、普通電動役物ソレノイド１７ｃや、大入賞口ソレノイ板３１ｃ、左下表示装置５０、右下表示装置６０、駆動モータ８８に信号を出力することにより、これらの動作を直接制御している。
【００６１】
演出制御部２２０Ａは、主制御部２００Ａからの各種コマンドを受け取ると、コマンドの内容を解析して、その結果に応じた遊技の演出を行う。即ち、中央表示装置（液晶表示装置）２７を駆動する演出表示制御基板２２２やスピーカＳＰ１〜ＳＰ４を駆動するアンプ基板２２４が接続されている。また、演出制御部２２０Ａは、「各種ＬＥＤ４ｂ〜４ｈ搭載された基板」等の各種装飾用基板を駆動する装飾駆動基板２２６に駆動信号を出力することにより、遊技の演出を行う。尚、操作スイッチＳＷからの操作信号は、演出ボタン基板２２８を介して、演出制御部２２０Ａに入力される。
【００６２】
払出制御部２４０Ａは、所謂、貸球や賞球の払い出しに関する各種の制御を司っている。例えば、遊技者が受皿扉体５に設けられた球貸スイッチ５ｅや返却スイッチ５ｆを操作すると、この信号は、球貸表示基板２４２から中継端子板を介して、球貸装置に伝達される。
【００６３】
主制御部２００Ａが賞球の払出コマンドを出力すると、このコマンドを払出制御部２４０Ａが受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａに入力される。更に、払い出された賞球数はカウントスイッチ１０９ｃによっても検出されて、主制御部２００Ａでも計数されている。また、払出制御部２４０Ａは、主制御部２００Ａの制御の下で、遊技球の発射を許可する信号（発射許可信号）を発射制御部２６０Ａに向かって出力している。そして、発射制御部２６０Ａは、この発射許可信号を受けて遊技球を発射するための各種制御を行っている。
【００６４】
次に、演出制御部２２０Ａ（演出制御基板２２０）に対する信号或いはコマンドの入出力関係について説明する。前述のように、演出制御部２２０Ａ（演出制御基板２２０）には、演出表示制御基板２２２と、アンプ基板２２４、装飾駆動基板２２６、演出ボタン基板２２８などの各種基板が接続されている。
【００６５】
演出制御部２２０Ａは、前述のように、主制御部２００Ａから各種の演出用のコマンドを受け取ると、コマンドの内容を解釈して、（ａ）中央表示装置２７での具体的な表示内容や、（ｂ）スピーカＳＰで出力する効果音、更には、（ｃ）各種ＬＥＤやランプ類４ｂ〜４ｆの点灯若しくは点滅の具体的な態様を決定する。次いで、中央表示装置２７の駆動信号（各種の図柄制御コマンド）を演出表示制御部２２２Ａに出力して、演出用図柄の変動停止表示を行う。このとき、表示されるキャラクタ図柄や背景図柄などの一部データについては、中央表示装置２７、或いは、演出表示制御基板２２２に内蔵された演出表示ＲＯＭ２７ｒに格納されているデータを使用する。
【００６６】
また、疑似図柄の変動停止表示に合わせて、音声信号をアンプ基板２２４に出力することによって、スピーカＳＰ１〜ＳＰ４から効果音を出力する。加えて、装飾駆動基板２２６に信号を供給し、装飾駆動基板２２６から、各種ＬＥＤ４ｂ〜４ｈの駆動信号を出力することによって、各種ＬＥＤ４ｂ〜４ｈやランプ類の点灯・点滅動作等を制御する。更に、上皿部材５の前面側に設けられた操作スイッチＳＷを遊技者が操作すると、この操作信号が演出制御部２２０Ａに供給される。そして、演出制御部２２０Ａは、供給された操作信号に基づいて、中央表示装置２７を初めとする各種の演出内容に操作結果を反映させることが可能に構成されている。
【００６７】
（３）収納ボックス２１０の構成
収納ボックス２１０は、図９乃至図１１に示すように、基体部材２１４と、蓋体部材２１６と、封止ビス９６とを備えている。
【００６８】
尚、この収納ボックス２１０は、図９に示すように、その前面部８０Ａを遊技機１の後方に向けるようにしつつ、裏パック１０２に装着される。そして、以下の説明において、「左」、「右」、「前」、「後」等の方向を、収納ボックス２１０が遊技機１に取り付けられた状態を基準に定める。つまり、「前」は、収納ボックス２１０を裏パック１０２に取り付けた状態にて、遊技機１の背後から見て前方（つまり、遊技者から離間する方向）」を示し、「後」は、遊技機１の背後から見て後方（つまり、遊技者に近接する方向）」を示す。また、「左」とは「遊技機１の背後から見て左（遊技者から見て右）」であることを示し、「右」とは「遊技機１の背後から見て右（遊技者から見て左）」であることを示す。
【００６９】
基体部材２１４は、透明な合成樹脂を用いた一体成形品であり、図１１、図１４乃至図１６に示すように、基体部材側封止部８７を備えている。そして、基体部材２１４は、図１１に示すように、略矩形の平面形状を備えつつ後面部に配設される後壁部８２ａと、後壁部８２aの上縁部から前方に向かって略垂直に突出する上壁部８２ｂと、後壁部８２aの右側縁部から前方に向かって略垂直に突出する右壁部８２ｃと、後壁部８２aの下縁部から前方に向かって略垂直に突出する下壁部８２ｄと、後壁部８２ａの左側縁部から前方に向かって突出する左壁部８２ｅを備えている。
【００７０】
図１１に示すように、後壁部８２aの前面部において上壁部８２ｂに近接する部位には、前方に向かって略垂直に突出する上リブ８２ｆが設けられ、後壁部８２aの前面部において前面部８２ｃに近接する部位には、前方に向かって略垂直に突出する右リブ８２ｇが設けられている。また後壁部８２ａの前面部において下壁部８２ｄに近接する部位にも、前方に向かって略垂直に突出する下リブ８２ｈが設けられ、後壁部８２ａの前面部において左壁部８２ｅに近接する部位には、前方に向かって略垂直に突出する左リブ８２ｉが設けられている。
【００７１】
図１２に示すように、後壁部８２aの前面部において上壁部８２ｂと上リブ８２ｆとの間に位置する部位には後壁部８２aの横方向に長尺な空間部（以下、「上部スライド溝」という。）８２ｊを設けている。また、図１１に示すように、上部スライド溝８２ｊの開口部において基体部材２１４の横方向に沿った６箇所には、後述の蓋体部材２１６に設けられた略Ｌ字型の係止片２１７と係止し、収納ボックス２１０を閉鎖状態に維持するための係止凸部８２ｋが形成されている。これらの係止凸部８２ｋは、略矩形板状の小片とされつつ、上部スライド溝８２ｊを縦方向に縦断する状態（上リブ８２ｆの突端部と上壁部８２ｂとの間に掛け渡された状態）に形成されている。
【００７２】
また、図１１に示すように、後壁部８２aの前面部において下部壁８２ｄと下リブ８２ｈとの間に位置する部位にも、後壁部８２aの横方向に長尺な空間部（以下、「下部スライド溝」という。）８２ｌを設けている。また、下部スライド溝８２ｌの開口部において基体部材２１４の横方向に沿った６箇所にも、後述の蓋体部材２１６に設けられた略Ｌ字型の係止片２１７と係止し、収納ボックス２１０を閉鎖状態に維持する係止凸部８２ｋが形成されている。これらの係止凸部８２ｋも、略矩形状の小片とされつつ、下部スライド溝８２ｌを縦方向に縦断する状態（下リブ８２ｆの突端部と下壁部８２ｄとの間に掛け渡された状態）に形成されている。
【００７３】
また、図１２に示すように、上部スライド溝８２ｊの内部には、上リブ８２ｆから上壁部８２ｂの方向へ略垂直に突出した一体成形品の痕跡形成部２３１が２つ設けられている。この痕跡形成部２３１は、図１７（ａ）、（ｂ）に示すように、収納ボックス２１０の開閉時に後述の当接部９２ｃがスライド移動する方向（ＡからＢの位置への方向）と略水平方向に平面形状の上面２３１ａと、上リブ８２ｆから上壁部８２ｂまでの突出量が上面２３１ａよりも多く、上面２３１ａと略直交する方向に直立し、収納ボックス２１０の開封に際して当接部９２ｃが当接する直立面２３２ａが設けられた被当接部２３２と、当接部９２ｃが直立面２３２ａと当接し、被当接部２３２を痕跡形成部から折れ曲がる又は切り離すための切欠部２３３と、から構成されている。尚、この切欠部２３３は、内部の形状が略三角形の凹部となっている。そのため、当接部９２が被当接部２３２に対し第２方向へ所定の力を加えて押動させない限り、被当接部２３２が痕跡形成部２３１から切り離されることがない。つまり、誤って当接部９２を押動してしまい、その結果、被当接部２３２が痕跡形成部２３１から折れ曲がることを防止している。
【００７４】
また、図１２及び図１７（ａ）、（ｂ）に示すように、痕跡形成部２３１には、切欠部２３３を間に挟んで被当接部２３２と対面する当接防止部２３４が設けられている。この当接防止部２３４は、収納ボックス２１０の開封時に当接部９２ｃが被当接部２３２の直立面２３２ａと当接することを防止している。また、上壁部８２ｂから上リブ８２ｆへ右下方向に傾斜する傾斜面を備えているため、収納ボックス２１０を開封する際の当接部９２ｃのスライド移動を円滑に行わせることができる。また、痕跡形成部２３１には、当接防止部２３４を切り離すための切欠部２３５が設けられている。ここで、切欠部２３５は分離部の具体例を構成している。
【００７５】
尚、本実施例では、切欠部２３３の凹部の形状を図１７（ａ）に示したような例を挙げたが、本願発明はこの形状に限定されるものではない。例えば、図１７（ａ）に示したように、切欠部２３３の凹部の形状を内部に肉薄の形状としてもよい。この構成によれば、被当接部２３２を痕跡形成部２３１から切り離す又は折り曲げるときの当接部９２の押動力を、図１７（ａ）に示す切欠部２３３と比べて、少なくすることができる。
【００７６】
図１１に示すように、右壁部８２ｃには基体部材側封止部８７が設けられている。この基体部材側封止部８７は、右壁部８２ｃの突端部の上方側の２箇所と、下方側の２箇所から右方向に突出する状態に設けられている。この基体部材側封止部８７は、図１１及び図１４乃至図１６に示すように、左右に長尺の略板形状に形成される封止本体８７ａと、封止本体８７ａの後方部右端部側から後方に突出する筒状部８７ｂと、を備えている。
【００７７】
図１４乃至図１６に示すように、封止本体８７ａには貫通孔８７１ａが形成され、この貫通孔８７１ａと筒状部８７ｂの内部空間（略円柱状の空間）８７１ｂとが連結して封止ビス挿入孔８７ｃを形成している。
【００７８】
図１０に示すように、蓋体部材２１６は、透明な合成樹脂を用いた一体成形品であり、後面部を開放部９２ｋとする略容器形状に形成されている。この蓋体部材２１６は、蓋体部材側封止部９２２を備えている。そして、この蓋体部材２１６が基体部材２１４に装着されると、内部に前述の主制御基板２００を収納する収容体を構成する。
【００７９】
また、蓋体部材２１６は略矩形の正面形状を備えつつ前面部に配設される本体壁９２ａと、本体壁９２ａの上縁部から後方に向かって略垂直に突出した上部係止片９２ｂと、本体壁９２ａの上縁部から後方に向かって突出する上当接部９２ｃと、図示しないが本体壁９２ａの下縁部から後方に向かって略垂直に突出した下部係止片９２ｄと、本体壁９２ａの下縁部から後方に向かって突出する下当接部９２ｅとを備えている。ここで、上当接部９２ｂ及び下当接部９２ｅは突起状の当接部の具体例を構成している。
【００８０】
また、上部係止片９２ｂ、上当接部９２ｃ、下部係止片９２ｄ及び下当接部９２ｅの突出量（本体壁９２ａの後方への突出量）は等しくされている。また、上当接部９２ｃ及び下当接部９２ｅの形状は、略四角柱に構成されている。また、上部係止片９２ｂ、上当接部ｃ、下部係止片９２ｄ及び下当接部９２ｅとは略平行とされつつ、「上部スライド溝８２ｊ及び下部スライド溝８２ｌ間の距離」に相当する距離を隔てた状態で上下に配設されている。また、上部係止片９２ｂ及び下部係止片９２ｄには、係止部９２ｆが各々５個設けられている。つまり、上部係止片９２ｂにおいて、上部スライド溝８２ｊの各係止凸部８２ｋと前後に位置合わせされる箇所には、各々係止部９２ｆが形成されている。同様に、下部係止片９２ｄにおいて、下部スライド溝８２ｌの各係止凸部８２ｋと前後に位置合わせされる箇所にも、各々係止部９２ｆが形成されている。
【００８１】
また、上部係止片９２ｂ及び下部係止片９２ｄに設けられた合計１０個の係止部９２ｆは雌型に構成されている。そして、基体部材２１４に設けられた合計１０個の係止凸部８２ｋのうちで、前後に位置合わせされるものを、はめ込んで摺動可能とされている。また、上部係止片９２ｂの各係止部９２ｆは、図１０に示すように、上部係止片９２ｂの上下面を貫通しつつ左右に長い略矩形形状の孔を用いて構成されている。また、係止部９２ｆの右半部は、上部係止片９２ｂの上下面及び後端面で開口する切欠部９２ｇと連続することによって、上部係止片９２ｂの後端面で開放されている。
【００８２】
また、図示しないが、下部係止片９２ｅの各係止部９２ｆも、下部係止片９２ｅの上下面を貫通しつつ左右に長い略矩形状の孔を用いて構成される。また、この係止部９２ｆの左半部も、下部係止片９２ｄの上下面及び後端面で開口する切欠部９２ｇと連続することによって、下部係止片９２ｄの後端面で開放されている。尚、上部係止片９２ｂの各係止部９２ｆの右半部に対して、上部スライド溝８２ｊの対応する係止凸部８２ｋが進入し、下部係止片９２ｄの各係止部９２ｆの右半部に対して、下部スライド溝８２ｌの対応する係止凸部８２ｍが進入するので、計１０個の係止部９２ｆが各々対応した係止凸部８２ｍに対して抜け止め方向（前後）に係止することとなる。つまり、基体部材２１４に装着された蓋体部材２１６を、前後方向に向かって取り外すことができなくなる。
【００８３】
次に、図１０及び図１４乃至図１６を用いて、基体部材２１６に設けられた蓋体部材側封止部９２２について説明する。蓋体部材側封止部９２２は、図１０に示すように、本体壁９２ａの右側面の上方側の２箇所と、下方側の２箇所において右方向に突出する状態に設けられている。計４個設けられる蓋体部材側封止部９２２は、図１４乃至図１６に示すように、筒状部９２２ａを備えている。このうち基体部材封止部９２２は略板状に構成され、前後に貫通する状態にビス装着孔９２２ｂを備えている。
【００８４】
本実施例では、蓋体部材２１６の基体部材２１４への装着を完了すると、図１６に示すように、蓋体部材側封止部９２２と基体部材側の封止本体８７ａとが重ね合された状態とされる。つまり、収納ボックス２１０においては、蓋体部材２１６の基体部材２１４への装着を完了したときに、「蓋体部材側封止部９２２及び基体部材側の封止本体８７ａ」が前後に重なり合うように構成される。
【００８５】
次に、図１６を用いて、封止ビス９６について説明する。封止ビス９６は、頭部９６１と軸部９６２とを備えている。この軸部９６２には、雄ネジ９６２ａが刻まれている。また、頭部９６１の一端面には、工具（ドライバー等）の先端を挿入し、雄ネジ９６２ａをビス挿入孔８７ｃに係止させるための工具溝９６１ａが設けられている。
【００８６】
（４）収納ボックス２１０の組立方法
蓋体部材２１６が基体部材２１４に対して以下の状態（以下、「閉鎖取付状態」という。）に取り付けられると、基体部材２１４が蓋体部材２１６で閉鎖され、蓋体部材２１６は基体部材２１４とともに内部に主制御基板２００を収納する収納体を構成する。但し、この蓋体部材２１６の基体部材２１４に対する取付に先だって、主制御基板２００がビス等を用いて基体部材２１４の内側に固定されるとともに、主制御基板２００に設けられたコネクターを、挿通孔９２ｇを通じて蓋体部材２１６の外部に突出させる。
【００８７】
蓋体部材２１６を基体部材２１４に閉鎖状態で取り付けると、図１６に示すように、蓋体部材側封止部９２２が、基体側封止部８７の対応関係にある封止本体８７ａと重ね合された状態とされる。このとき、上部係止片９２ｂの各係止部９２ｆが、上部スライド溝８２ｊの対応する係止凸部８２ｋと係止し、上部係止片９２ｂの上部スライド溝８２ｊからの抜け止めが図られ、下部係止片９２ｄの各係止部９２ｆが、下部スライド溝８２ｌの対応する係止凸部８２ｍと係止し、下部スライド溝８２ｌからの抜け止めが図られた状態となる。
【００８８】
蓋体部材２１６を、基体部材２１４に装着する作業においては、蓋体部材２１６を基体部材２１４に対して「閉鎖取付状態」で取り付ける際には、以下の手順に従う。つまり、図１５に示すように、蓋体部材２１６を基体部材２１４に対して、右方向にずらした状態（閉鎖状態を基準として右方向にずらした状態）で取り付ける。具体的には、上部係止片９２ｂ、下部係止片９２ｄ、上当接部９２ｃ及び下当接部９２ｅを基体部材２１４の内側（上部スライド溝８２ｊ及び下部スライド溝８２ｌ内部）に挿入し（図１６に示すＡの位置）、上部係止片９２ｂの各係止部９２ｆ右半部に切欠部９２ｈを通じて、上部スライド溝８２ｊの対応する係止凸部８２ｋを進入させ、下部係止片９２ｄの各係止部９２ｆの右半部に切欠部９２ｈを通じて、下部スライド溝８２ｌの対応する係止凸部８２ｍを進入させる（以下、「初期取付状態」という）。
【００８９】
図１５に示すように、蓋体部材２１６を「初期取付状態」にした後、蓋体部材２１６を右方向にスライド移動すると、蓋体部材２１６は「閉鎖取付状態」となる。つまり、上部係止片９２ｂの各係止部９２ｆの左半部に、上部スライド溝８２ｊの対応する係止凸部８２ｋが進入し、下部係止片９２ｄ各係止部９２ｆの左半部に下部スライド溝８２ｌの対応する係止凸部８２ｍが進入し、蓋体部材２１６の各係止部９２ｆが対応する係止凸部８２ｋ、８２ｍに抜け止め状態（前後への抜け止め状態）に係止される。また、図１７（ａ）に示すように、この各係止部９２ｆのスライド移動に際して蓋体部材２１６の上当接部９２ｃと下当接部９２ｅは、上部スライド溝８２ｊ及び下部スライド溝８２ｌ内でＡからＢの位置へスライド移動する。
【００９０】
図１７(ａ)に示すように、当接防止部２３４が設けられている（切欠部２３５を軸として痕跡形成部２３１から切り離されていない）痕跡形成部２３１（ａ）においては、当接部９２のＡからＢの位置へのスライド移動に際し当接部９２が被当接部２３２の直立面２３２ａと当接することを当接防止部２３４が防止している。そして、当接防止部２３４が設けられていない（切欠部２３５を軸として痕跡形成部２３１から切り離されている）痕跡形成部２３１（ｂ）においては、当接部９２のＡからＢの位置へのスライド移動に際し当接部９２が被当接部２３２の直立面２３２ａと当接し、被当接部２３２が切欠部２３３を軸として痕跡形跡部２３１から上リブ８２ｆの方向へ折れ曲がっている。つまり、収納ボックス２１０の開封痕跡を痕跡形成部２３１（ｂ）に残している。ここで、図１７（ａ）に示す当接部９２がＡからＢの位置へスライド移動する方向が、「第１方向」の具体例を示し、当接部９２がＡからＢの位置へスライド移動する方向が、「第２方向」の具体例を示している。
【００９１】
尚、上記実施例では、痕跡形成部２３１（ａ）、（ｂ）が、上リブ８２ｆに設けられ、当接部９２の当接により上リブ８２ｆの方向へ分離される例を説明したが、痕跡形成部２３１（ａ）、（ｂ）が、上壁部８２ｂ（又は、後壁部８２ａ）に設けられ、当接部９２の当接により上リブ８２ｆの方向へ分離することとしてもよい。または、痕跡形成部２３１（ａ）、（ｂ）が、上リブ８２ｆ（又は、後壁部８２ａ）に設けられ、当接部９２の当接により上壁部８２ｂの方向へ分離されることとしてもよい。また、上記実施例では、痕跡形成部２３１が基体部材２１４に設けられ、当接部９２が蓋体部材２１６に設けられた例を挙げたが、本発明はこれに限定されず、例えば、痕跡形成部２３１が蓋体部材２１６に設けられ、当接部９２が基体部材２１４に設けられることとしてもよい。
【００９２】
次に、収納ボックス２１０の開封後に痕跡形成部２３１（ａ）から切欠部２３５を軸として当接防止部２３４を分離し、その後収納ボックス２１０を再度封印した後、収納ボックス２１０の２回目に開封される様子を図１７（ｂ）にて説明する。収納ボックス２１０の開封後、痕跡形成部２３１（ａ）に設けられた当接防止部２３４を切り離し、収納ボックス２１０を封印する。その後、収納ボックス２１０が開封されると当接部９２のスライド移動に際して、被当接部２３２の直立面２３２ａと当接部９２が当接し、痕跡形成部２３１から被当接部２３２が折れ曲がる又は切り離される。
【００９３】
このように、痕跡形成部２３１に当接防止部２３４及び切欠部２３５を設けることによって、収納ボックス２１０の開封痕跡を残す場合、又は開封痕跡を残さない場合を適宜選択することができる。また、痕跡形成部２３１から当接防止部２３４を切り離し、収納ボックス２１０を封印した場合（開封痕跡を残す場合）、上記説明したように収納ボックス２１０の開封痕跡を痕跡形成部２３１に確実に残すことができる。
【００９４】
また、本実施例の収納ボックス２１０においては、痕跡形成部２３１の様子を外部から容易に視認可能とするため、無色透明の合成樹脂からなる基体部材２１４を例にして挙げたが、開封痕跡を更に一層容易に確認することができる構成を例示することができる。例えば、図１２に示すように、上壁部８２ｂのすぐ真下に各痕跡形成部２３１が配置される部分に拡大用レンズ２３６を夫々設ける。このようにすることにより、痕跡形成部２３１の様子を基体部材２１４の外部から、より一層容易に確認することができる。また、図示しないが、基体部材２１４の後壁部８２ａの裏面部において、痕跡形成部２３１を水平に視認可能とする箇所に拡大用レンズ２３６を設ける例も挙げられる。
【００９５】
また、本実施例の収納ボックス２１０においては、収納ボックス２１０の開封痕跡を残す痕跡形成部２３１を基体部材２１４に２つ設けた例を挙げたが、本発明はこれに限定されるものではなく、例えば、基体部材２１４又は蓋体部材２１６に痕跡形成部２３１を１つ又は３つ以上設けることとしてもよい。つまり、収納ボックス２１０の開封痕跡を残す回数（収納ボックス２１０の開封回数）に応じて、痕跡形成部２３１の個数を設定することとすればよい。このような構成にすることにより、収納ボックス２１０を管理する者が、意図して痕跡形成部２３１から当接防止部２３４を切り離して収納ボックス２１０を封印した後に収納ボックス２１０が不正開封された場合の開封痕跡を、痕跡形成部２３１の被当接部２３２の状態から容易に確認することができる。また、上記構成により、基体部材及び蓋体部材のいずれか一方に設けた全ての被当接部が当接部により折れ曲げられる又は切り離されない限り、一の基体部材及び蓋体部材を使用した収納ボックスを得ることができる。
【００９６】
また、上記実施例では、本発明を、パチンコ遊技機の主制御基板（遊技制御基板）１０２を収納する収納ボックス２１０に適用した構成を例に挙げて説明したが、この構成に限定されるものではなく、サブ制御基板を収納する収納ボックス２１２、払出制御基板を収納する収納ボックス２０２、発射制御基板を収納する収納ボックス２０４及び電源基板を収納する収納ボックス２０８等、他の遊技に関連した基板を収納する収納ボックスにも容易に適用することができる。更に、上記実施例では、本発明をパチンコ遊技機に適用した例を説明したが、アレンジボール遊技機や、回胴式遊技機の遊技制御を行う制御基板を収納する収納ボックスに本発明を適用できることは言うまでもない。
【００９７】
以上、本発明について上記実施例を説明したが、本発明はこれに限定されるものではなく、各請求項に記載した範囲を逸脱しない限り、各請求項の記載文言に限定されず、当業者がそれらから容易に置き換えられる範囲にも及び、且つ、当業者が通常有する知識に基づく改良を適宜付加することができる。
【符号の説明】
【００９８】
２１０          収納ボックス
２１４          基体部材
２１６          蓋体部材
８２ａ          後壁部
８２ｂ          上壁部
８２ｃ          右壁部
８２ｄ          下壁部
８２ｅ          左壁部
８２ｆ          上リブ
８２ｇ          右リブ
８２ｈ          下リブ
８２ｉ          左リブ
８２ｊ          上部スライド溝
８２ｌ          下部スライド溝
８２ｋ、８２ｍ  係止凸部
８７            基体部材側封止部
８７ａ          封止本体（基体部材側）
８７ｂ          筒状部
８７ｃ          ビス挿入孔
８７１ａ        貫通孔
８７１ｂ        内部空間部（略円柱状）
９２２          蓋体部材側封止部
９２２ａ        筒状部
９２２ｂ        ビス装着孔
９２ｂ、９２ｄ  係止片
９２ｃ、９２ｅ  当接部
９２ｆ          係止部
９２ｇ          挿通孔
９６            ビス（封止ビス）
９６１          頭部
９６１ａ        工具溝
９６２          軸部
９６２ａ        雄ネジ
２３１          痕跡形成部
２３１ａ        上面
２３２          被当接部
２３２ａ        直立面
２３３          第１の切欠部
２３４          当接防止部
２３５          第２の切欠部（分離部）
【図１】
0005573823.tif 000002
【図２】
0005573823.tif 000003
【図３】
0005573823.tif 000004
【図４】
0005573823.tif 000005
【図５】
0005573823.tif 000006
【図６】
0005573823.tif 000007
【図７】
0005573823.tif 000008
【図８】
0005573823.tif 000009
【図９】
0005573823.tif 000010
【図１０】
0005573823.tif 000011
【図１１】
0005573823.tif 000012
【図１２】
0005573823.tif 000013
【図１３】
0005573823.tif 000014
【図１４】
0005573823.tif 000015
【図１５】
0005573823.tif 000016
【図１６】
0005573823.tif 000017
【図１７】
0005573823.tif 000018